(57)【要約】      （修正有）【課題】蓋部を開く際に、蓋部及び正面部以外を操作することによって、蓋部を開封し易くする技術を提供する。【解決手段】包装容器の左右側壁２２，２４は、それぞれ、上端から蓋本体４２に沿って延びる上端片２２ａ，２４ａを備える。上端片２２ａは、左側壁２２が折曲線６０で外側に向けて折り曲げられると、折曲線６２と折曲線６４とで折り曲げられることによって、周壁部から蓋本体４２側に突出する。上端片２４ａは、上端片２２ａと同様に、右側壁２４が折曲線５０で外側に向けて折り曲げられると、折曲線５２と折曲線５４とで折り曲げられることによって、周壁部から蓋本体４２側に突出する。【選択図】図６
2017190143.tif 000002
【特許請求の範囲】
【請求項１】
底壁部と、
底壁部を囲んでおり、前壁と、後壁と、左右側壁と、を有する周壁部と、
後壁に回動可能に連結されている蓋部と、を備え、
蓋部は、周壁部の開口を覆う蓋本体と、蓋本体の後壁側の端部から前壁に沿って周壁部の内側に延びる前端片と、を備え、
左右側壁は、それぞれ、上端から蓋本体の周壁部側の面に沿って延びる上端片を備え、
左右側壁は、それぞれ、上端から下端に向って、背面側から正面側に傾斜して延びる第１折曲線において外側に向けて折り曲げ可能であり、
左側の上端片には、左側壁と反対側の端から左側壁の第１折曲線の上端に向かって、正面側から背面側に傾斜して延びる第２折曲線と、第２折曲線の背面側に左右方向に延びる第３折曲線と、が配置されており、
右側の上端片には、右側壁と反対側の端から右側壁の第１折曲線の上端に向かって、正面側から背面側に傾斜して延びる第４折曲線と、第４折曲線の背面側に左右方向に延びる第５折曲線と、が配置されており、
左側の上端片は、左側壁が第１折曲線で外側に向けて折り曲げられると、第２折曲線と第３折曲線とで折り曲げられることによって、周壁部から蓋本体側に突出し、
右側の上端片は、右側壁が第１折曲線で外側に向けて折り曲げられると、第４折曲線と第５折曲線とで折り曲げられることによって、周壁部から蓋本体側に突出する、包装容器。
【請求項２】
左右側壁は、それぞれ、第１折曲線の上端近傍から上方に突出する突起片を備える、請求項１に記載の包装容器。
【請求項３】
蓋本体の左右端縁は、それぞれ、突起片のそれぞれから離間する逃げ形状を有する、請求項２に記載の包装容器。
【請求項４】
第１折曲線の下端は、左右側壁の上下方向の中間位置に位置する、請求項１から３のいずれか一項に記載の包装容器。
【請求項５】
前端片は、その上端側の左右両端辺に、左右側壁に接触する接触部分と、接触部分の下方に左右側壁から離間する非接触部分と、を備え、
接触部分の上下方向の長さが、非接触部分の上下方向の長さよりも短い、請求項１から４のいずれか一項に記載の包装容器。
【発明の詳細な説明】
【技術分野】
【０００１】
本明細書は、包装容器に関する。
【背景技術】
【０００２】
蓋部を有する包装容器は、搬送時や保管時に蓋部が容易に開かないように構成されている。このため、開封時にスムーズに蓋部を開くことができない場合がある。特許文献１には、包装容器の開封時に、蓋部を容易に開けるための技術が開示されている。この包装容器は、正面部の上端に、搖動片を有する。搖動片は、正面部の左右方向中央に配置されており、左右方向の両端において、正面部本体から切り離されている。また、搖動片は、下端において、正面部と折れ線を介して搖動可能に接続されている。搖動片の下端には、搖動した時に、包装容器の内側に突出する搖動片突起部を有する。
【０００３】
蓋部は、背面部に折れ線を介して連設された蓋板部と、蓋板部の正面側の端部に折れ線を介して連設された折曲片と、を備える。蓋部が閉じられている状態では、折曲片は、正面部の内面に接している。蓋部を掛ける際には、蓋部が閉じられている状態から、搖動片を包装容器の外側に搖動させて、搖動片突起部を包装容器の内部に突出させる。これにより、正面部の内面に接する折曲片が搖動片突起部によって持ち上げられる。この結果、蓋部が持ち上がるため、蓋部を容易に開封することができる。
【先行技術文献】
【特許文献】
【０００４】
【特許文献１】実用新案登録第３１５７４２７号公報
【発明の概要】
【発明が解決しようとする課題】
【０００５】
上記した技術では、正面部に搖動片を配置する必要がある。本明細書では、蓋部を開く際に、蓋部及び正面部以外を操作することによって、蓋部を開封し易くする技術を提供する。
【課題を解決するための手段】
【０００６】
本明細書で開示される技術は、包装容器に関する。包装容器は、底壁部と、底壁部を囲んでおり、前壁と、後壁と、左右側壁と、を有する周壁部と、後壁に回動可能に連結されている蓋部と、を備える。蓋部は、周壁部の開口を覆う蓋本体と、蓋本体の後壁側の端部から前壁に沿って周壁部の内側に延びる前端片と、を備える。左右側壁は、それぞれ、上端から蓋本体の周壁部側の面に沿って延びる上端片を備える。左右側壁は、それぞれ、上端から下端に向って、背面側から正面側に傾斜して延びる第１折曲線において外側に向けて折り曲げ可能である。左側の上端片には、左側壁と反対側の端から左側壁の第１折曲線の上端に向かって、正面側から背面側に傾斜して延びる第２折曲線と、第２折曲線の背面側に左右方向に延びる第３折曲線と、が配置されている。右側の上端片には、右側壁と反対側の端から右側壁の第１折曲線の上端に向かって、正面側から背面側に傾斜して延びる第４折曲線と、第４折曲線の背面側に左右方向に延びる第５折曲線と、が配置されている。左側の上端片は、左側壁が第１折曲線で外側に向けて折り曲げられると、第２折曲線と第３折曲線とで折り曲げられることによって、周壁部から蓋本体側に突出する。右側の上端片は、右側壁が第１折曲線で外側に向けて折り曲げられると、第４折曲線と第５折曲線とで折り曲げられることによって、周壁部から蓋本体側に突出する。
【０００７】
上記の構成では、蓋部の前端片が前壁の内側に挿入されて、蓋部が閉じられる。蓋部が閉じられている状態で、左右側壁の第１折曲線の上端にそれぞれ指等を引掛けて、左右側壁を左右に広がるように引っ張る。これにより、左右側壁は、それぞれ、第１折曲線で外側に折り曲げられる。この結果、左右の上端片が周壁部から蓋本体側に突出し、蓋本体を上方に押し上げて、蓋部と周壁部との隙間を大きくすることができる。この結果、蓋部を開封し易くすることができる。
【図面の簡単な説明】
【０００８】
【図１】蓋が閉じられている状態の包装容器の斜視図を示す。
【図２】包装容器の展開図を示す。
【図３】蓋が開かれている状態の包装容器の斜視図を示す。
【図４】蓋が開かれている状態の折曲線周辺を拡大した拡大斜視図を示す。
【図５】蓋が閉じられている状態の包装容器の正面側の斜視図を示す。
【図６】蓋を開く際に指を引掛けて、左右側壁を広げた場合の斜視図を示す。
【図７】左右側壁が広げられた状態で蓋部が開く場合の斜視図を示す。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）本明細書で開示される包装容器では、左右側壁は、それぞれ、第１折曲線の上端近傍から上方に突出する突起片を備えていてもよい。この構成によれば、使用者は、突起片に指等を掛けて、左右側壁を開くことができる。このため、左右側壁を容易に折り曲げることができる。
【００１１】
（特徴２）本明細書で開示される包装容器では、蓋本体の左右端縁は、それぞれ、突起片のそれぞれから離間する逃げ形状を有してもよい。この構成によれば、突起片に指等を引掛け易くすることができる。
【００１２】
（特徴３）本明細書で開示される包装容器では、第１折曲線の下端は、左右側壁の上下方向の中間位置に位置してもよい。この構成によれば、第１折曲線が左右側壁の上端から下端まで延びる構成と比較して、左右側壁の剛性の低下を抑制することができる。
【００１３】
（特徴４）本明細書で開示される包装容器では、前端片は、その上端側の左右両端辺に、左右側壁に接触する接触部分と、接触部分の下方に左右側壁から離間する非接触部分と、を備え、接触部分の上下方向の長さが、非接触部分の上下方向の長さよりも短くてもよい。前端片の接触部分を短くすることによって、蓋部の持ち上がりが小さくても、前端片と左右側壁とを非接触にすることができる。前端片と左右側壁とを非接触にすることによって、蓋部を容易に開封することができる。
【実施例】
【００１４】
図１は、蓋部４０が閉じられている状態の包装容器１０の斜視図を示す。図２は、包装容器１０が展開されたブランクＢＬを示す。図３は、蓋部４０が開かれた状態の包装容器１０の斜視図を示す。包装容器１０は、１枚のブランクＢＬを組み立てることによって、作製される。包装容器１０は、厚紙等の丈夫な紙で作製されている。なお、包装容器１０の材料は、紙に限定されず、樹脂等の紙以外の材料であってもよい。
【００１５】
図１及び図２に示すように、包装容器１０は、直方体形状を有する。包装容器１０は、周壁部２０と、底壁３０と、蓋部４０と、を備える。底壁３０は、矩形の平板形状を有する。底壁３０の４辺のそれぞれには、周壁部２０の各壁２２，２４，２６，２８が回動可能に連結されている。周壁部２０は、左右側壁２２，２４と、前後壁２６，２８の４枚の壁面を備える。前壁２６は、それぞれに矩形状の平板を有する内壁面２６ａと外壁面２６ｂとの２重構造を有する。内壁面２６ａと外壁面２６ｂとは、互いにその上端で連結されている。
【００１６】
前壁２６の左右両端には、左右側壁２２，２４が連結されている。左右側壁２２，２４は、それぞれ矩形の平板形状を有する。右側壁２４の上端には、上端片２４ａが配置されている。上端片２４ａは、右側壁２４の前後方向の全長に亘って、右側壁２４の上端から回動可能に連結されている。上端片２４ａは、後述する蓋部４０の蓋本体４２の下面に沿って配置されている。図４に示すように、右側壁２４には、折曲線５０が配置されている。折曲線５０は、右側壁２４の上端から下方に向かって延びている。折曲線５０は、右側壁２４の上下方向の中間位置まで延びている。折曲線５０は、上端から下方に向かって前側に傾斜する直線状を有する。折曲線５０は、右側壁２４を内面から加圧して凹溝を形付けることによって形成されている。なお、折曲線５０は、断続的なスリット（いわゆるミシン目）を配置することによって形成されていてもよい。一般的には、折曲線５０は、右側壁２４の剛性を低下させることによって形成されていればよい。
【００１７】
上端片２４ａには、折曲線５２が配置されている。折曲線５２は、折曲線５０の上端から左側に向かって延びている。折曲線５２は、右端から左端に向かって前側に傾斜する直線状を有する。折曲線５２の右端は、上端片２４ａの右端（即ち右側壁２４側の端）に位置しており、折曲線５２の左端は、上端片２４ａの左端に位置している。折曲線５２は、折曲線５０と同様に、上端片２４ａを内面から加圧して凹溝を形付けることによって形成されている。
【００１８】
折曲線５０と折曲線５２との接続位置の後方には、右側壁２４の上端から上方に突出する突起片５６が配置されている。突起片５６は、ブランクＢＬにおいて右側壁２４と上端片２４ａとの境界部分を切り込むことによって形成される。このため、突起片５６の上端片２４ａ側には、切込みが形成されている。
【００１９】
上端片２４ａには、さらに、折曲線５４が配置されている。折曲線５４は、突起片５６の前後方向の中央から左右方向の平行に延びている。折曲線５４の右端は、上端片２４ａの右端（即ち右側壁２４側の端）に位置しており、折曲線５４の左端は、上端片２４ａの左端に位置している。折曲線５４は、折曲線５２と同様に、上端片２４ａを内面から加圧して凹溝を形付けることによって形成されている。
【００２０】
左側壁２２の上端には、上端片２４ａと同一形状の上端片２２ａが配置されている。上端片２２ａを含む左側壁２２は、上端片２４ａを含む右側壁２４と左右方向の中央を通過する左右方向に垂直な平面に対して面対称（以下、単に「面対称」と呼ぶ）に形成されている。即ち、左側壁２２は、右側壁２４の折曲線５０に対して面対称に配置された折曲線６０を有しており、上端片２２ａは、折曲線５２に対して面対称に配置された折曲線６２と、折曲線５４に対して面対称に配置された折曲線６４と、を有する。また、左側壁２２の上端には、突起片５６に対して面対称に配置された突起片６６が配置されている。
【００２１】
左側壁２２は、その後端において、右側壁２４に向かって延びる係合片２２ｂを備える。係合片２２ｂは、右側壁２４の後端において、左側壁２２に向かって延びる係合片２４ｂと係合することによって、左右側壁２２，２４が倒れることを防止することができる。
【００２２】
係合片２２ｂ，２４ｂの後方には、後壁２８が配置されている。後壁２８は、矩形の平板形状を有する。後壁２８の上端には、蓋部４０が配置されている。蓋部４０は、蓋本体４２と、前端片４４と、を備える。蓋本体４２は、後壁２８の上端に回動可能に連結されている。蓋本体４２は、矩形の平板形状を有する。蓋本体４２は、周壁部２０の上端の開口を覆う。蓋本体４２の左右両辺のそれぞれには、逃げ部４２ａが配置されている。右端辺の逃げ部４２ａは、突起片５６の左側に配置されている。逃げ部４２ａは、右端辺が突起片５６から離間するように、蓋本体４２を半円形状に切り抜いて形成されている。左端辺の逃げ部４２ａは、右端辺の逃げ部４２ａに対して面対称に配置されており、左端辺が突起片６６から離間するように、蓋本体４２を半円形状に切り抜いて形成されている。
【００２３】
蓋本体４２の前端辺には、前端片４４が回動可能に連結されている。前端片４４は、蓋本体４２の左右方向の全長に亘って連結されている。前端片４４は、上端部４４ａと下端部４４ｂとを有する。上端部４４ａは、蓋本体４２の前端辺に連結されている。上端部４４ａは、左右方向において、左右側壁２２，２４の内面の間隔と略同一の長さの矩形状の平板形状を有する。上端部４４ａの下方（即ち蓋本体４２と反対側の端辺）には、下端部４４ｂが配置されている。下端部４４ｂは、その左右端辺が上下方向に対して傾斜している。言い換えると、前端片４４のうち、左右端辺が上下方向に平行に延びている部分が、上端部４４ａであり、左右端辺が上下方向に対して傾斜している部分が下端部４４ｂである。左右方向において、下端部４４ｂの長さは、上端部４４ａよりも短い。
【００２４】
前端片４４は、蓋部４０が閉じられた状態では、前壁２６の内壁面２６ａの内側に配置されている。前端片４４は、左右両端において、内壁面２６ａと上端片２２ａ，２４ａとの間に挟持されている。さらに、前端片４４は、上端部４４ａの左右端辺である接触部分４４ｃにおいて、左右側壁２２，２４と接触している。これにより、蓋部４０が意図せずに開封されることを防止することができる。なお、下端部４４ｂの左右端辺である非接触部分４４ｄは、左右側壁２２，２４と接触せず、離間している。上下方向において、接触部分４４ｃの長さは、非接触部分４４ｄの長さよりも短い。
【００２５】
一方で、蓋部４０を開封すべき状況では、例えば、前壁２６と蓋部４０との間や、蓋部４０と左右側壁２２，２４との間に指等を押し入れて開封することも考えられるが、包装容器１０の剛性によってスムーズに開くことができない場合がある。
【００２６】
次に、包装容器１０の蓋部４０を開封する方法を説明する。図１、図３、図５に示すように、蓋部４０が閉じている状態では、逃げ部４２ａにおいて、突起片５６，６６と折曲線５４，６４の一部が露出している。この状態から、図６に示すように、使用者は、親指を突起片５６，６６に引掛けて、左右側壁２２，２４のそれぞれを、左右方向に引っ張る。なお、図６では、見易さを優先して、既に蓋部４０が開いた状態で図示している。この結果、左右側壁２２，２４は、それぞれ、折曲線５０，６０に沿って、包装容器１０の外側に折れ曲がる。これにより、左右側壁２２，２４の上端辺は、折曲線５０，６０の上端において屈曲する。それに伴って、左右の上端片２２ａ，２４ａは、それぞれ、折曲線５４，６４と折曲線５２，６２とで折れ曲がる。左右の上端片２２ａ，２４ａは、折曲線５２，６２が配置されている箇所で、周壁部２０の上端から上方に持ち上げられる。これにより、図７に示すように、左右の上端片２２ａ，２４ａの上方に配置されている蓋本体４２が持ち上げられる。この結果、前端片４４の接触部分４４ｃが左右側壁２２，２４よりも上方に移動されて、前端片４４と左右側壁２２，２４とが離間する。さらに、左右の上端片２２ａ，２４ａが折り曲げられることによって、左右の上端片２２ａ，２４ａと内壁面２６ａとの隙間が広がる。この結果、前端片４４が左右の上端片２２ａ，２４ａと内壁面２６ａとによって挟持された状態から解除される。この構成によれば、蓋部４０を容易に開封することができる。
【００２７】
包装容器１０では、突起片５６，６６が配置されているために、使用者は、容易に左右側壁２２，２４のそれぞれを、折曲線５０，６０に沿って折り曲げることができる。さらに、蓋本体４２に逃げ部４２ａが配置されているために、突起片５６，６６に指を掛け易い。
【００２８】
折曲線５０は、右側壁２４の上下方向の中間位置まで延びている。折曲線５０の下端は、右側壁２４の上端から上下方向の中央位置から３分の２の位置の間に位置していることが好ましい。この構成によれば、折曲線５０によって右側壁２４の剛性が低下することを抑制することができる。なお、折曲線５０の長さは、包装容器１０の材質や使用用途に応じて、設定することができる。例えば、折曲線５０の下端が右側壁２４の下端に位置していてもよい。折曲線６０も同様である。また、折曲線５０の右側壁２４の上端辺に対する角度は５５度であり、折曲線５２の右側壁２４の上端辺に対する角度は４５度であるが、角度はこれに限られない。折曲線６０，６２も同様である。
【００２９】
さらに、前端片４４では、上下方向において、接触部分４４ｃの長さが、非接触部分４４ｄの長さよりも短い。この構成によれば、左右の上端片２２ａ，２４ａが折り曲げられたときに、接触部分４４ｃと左右側壁２２，２４の接触を容易に解除することができる。
【００３０】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００３１】
（１）上記した実施例の包装容器１０は、直方体形状を有する。しかしながら、包装容器１０の形状は、直方体形状に限られず、立方体形状であってもよいし、左右側壁２２，２４が平行に配置されていなくてもよい。
【００３２】
（２）逃げ部４２ａの形状は、半円形状に限られず、四角形、三角形等の他の形状であってもよい。即ち、突起片５６，６６に指等が容易に引掛けられるように、蓋本体４２が突起片５６，６６から離間する形状であればよい。
【００３３】
（３）折曲線５０の上端は、折曲線５２の右端に接触している。しかしながら、折曲線５０の上端と折曲線５２の右端とは、前後方向にずれていてもよい。この場合、左右側壁２２，２４が左右方向に引っ張られて、右側壁２４が折曲線５０で折れ曲がる際に、上端片２４ａが折曲線５２で折れ曲がる位置に配置されていればよい。折曲線６０，６２も同様である。
【００３４】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００３５】
１０    ：包装容器
２０    ：周壁部
２２    ：左側壁
２２ａ  ：上端片
２４    ：右側壁
２４ａ  ：上端片
２６    ：前壁
３０    ：底壁
４０    ：蓋部
４２    ：蓋本体
４２ａ  ：逃げ部
４４    ：前端片
４４ｃ  ：接触部分
４４ｄ  ：非接触部分
５０，５２，５４：折曲線
５６    ：突起片
６０，６２，６４：折曲線
６６    ：突起片
【図１】
2017190143.tif 000003
【図２】
2017190143.tif 000004
【図３】
2017190143.tif 000005
【図４】
2017190143.tif 000006
【図５】
2017190143.tif 000007
【図６】
2017190143.tif 000008
【図７】
2017190143.tif 000009